【手続補正書】
【提出日】平成22年12月20日(2010.12.20)
【手続補正１】
【補正対象書類名】明細書
【補正対象項目名】００３５
【補正方法】変更
【補正の内容】
【００３５】
図３Ｅは、概して５６で示されるフレーム部材の断面図である。フレーム部材５６は、側部５８と、側部５８から横方向に延びる脚部６０とを備える。脚部６０は、太陽電池モジュール１２を支持する。太陽電池モジュール１２は、横方向の脚部６０の上面または底面のいずれかに支持される。太陽電池モジュール１２が横方向の脚部６０の上面または底面のいずれかに支持されるとき、太陽電池モジュール１２の縁部は側部５８によって保護される。
【手続補正２】
【補正対象書類名】特許請求の範囲
【補正対象項目名】全文
【補正方法】変更
【補正の内容】
【特許請求の範囲】
【請求項１】
太陽電池モジュールと、
前記太陽電池モジュールを支持する支持面を有するフレームと、
前記太陽電池モジュールと前記フレームとの間に配置され、前記太陽電池モジュールを前記フレームに構造的に固着する、構造シーラントとを備え、
前記構造シーラントは、シリコーンを含む、太陽電池アセンブリ。
【請求項２】
前記構造シーラントは、構造用接着剤を備える、請求項１に記載の太陽電池アセンブリ。
【請求項３】
前記支持面は、平坦である、請求項１に記載の太陽電池アセンブリ。
【請求項４】
前記フレームは、少なくとも一対のフレーム部材を備える、請求項１に記載の太陽電池アセンブリ。
【請求項５】
前記フレームは、前記少なくとも一対のフレーム部材の中間に延びる、少なくとも一つのブレース部材をさらに備える、請求項４に記載の太陽電池アセンブリ。
【請求項６】
前記フレームは、金属、複合材料、樹脂およびこれらの組合せからなる群から選択された材料により形成される、請求項４に記載の太陽電池アセンブリ。
【請求項７】
前記フレームは、金型成形されて一部品のフレームを形成する、請求項４に記載の太陽電池アセンブリ。
【請求項８】
太陽電池モジュールと、
前記太陽電池モジュールを支持する支持面を有する、一部品のフレームと、
前記太陽電池モジュールと前記一部品のフレームとの間に配置され、前記太陽電池モジュールを前記フレームに構造的に固着する、構造シーラントとを備える、太陽電池アセンブリ。
【請求項９】
前記一部品のフレームは、金型成形されている、請求項８に記載の太陽電池アセンブリ。
【請求項１０】
前記一部品のフレームは、金属、複合材料、樹脂およびこれらの組合せからなる群から選択された材料により形成される、請求項９に記載の太陽電池アセンブリ。
【請求項１１】
前記支持面から、前記支持面に対し横方向に延びる突き出し部をさらに備える、請求項３または８に記載の太陽電池アセンブリ。
【請求項１２】
前記一部品のフレームは、少なくとも一対のフレーム部材を備える、請求項８に記載の太陽電池アセンブリ。
【請求項１３】
前記一部品のフレームは、前記少なくとも一対のフレーム部材の中間に延びる、少なくとも一つのブレース部材をさらに備える、請求項１２に記載の太陽電池アセンブリ。
【請求項１４】
前記太陽電池モジュールは、電気的構成要素を含み、前記少なくとも一つのブレース部材は、前記電気的構成要素の少なくともいくつかを受け入れる開口を規定する、請求項５または１３に記載の太陽電池アセンブリ。
【請求項１５】
前記太陽電池モジュールは、表板と、裏当て部と、前記表板と前記裏当て部との間に配置された少なくとも一つの太陽電池とを備え、前記構造シーラントは、前記支持面と前記表板との間に配置される、請求項１または８に記載の太陽電池アセンブリ。
【請求項１６】
表板と、裏当て部と、前記表板と前記裏当て部との間の少なくとも一つの太陽電池とを備える、太陽電池モジュールと、
前記太陽電池モジュールを支持する支持面と、前記支持面に対して横方向の保護部とを備える、フレームと、
前記表板と前記支持面との間に配置され、前記太陽電池モジュールを前記フレームに構造的に固着する、構造シーラントと、を備える、太陽電池アセンブリ。
【請求項１７】
前記保護部と前記太陽電池モジュールとの間の間隙をさらに含む、請求項１６に記載の太陽電池アセンブリ。
【請求項１８】
前記間隙内に配置された水障壁をさらに備える、請求項１７に記載の太陽電池アセンブリ。
【請求項１９】
前記構造シーラントは、構造用接着剤を備える、請求項８または１６に記載の太陽電池アセンブリ。
【請求項２０】
前記構造用接着剤は、アクリル、ポリウレタン、エポキシ、シリコーンおよびこれらの組合せからなる群から選択される、請求項１９に記載の太陽電池アセンブリ。
【請求項２１】
前記構造シーラントは、構造用接着テープを備える、請求項１、８または１６のいずれかに記載の太陽電池アセンブリ。
【請求項２２】
前記構造シーラントは、ホットメルトシーラントを備える、請求項１、８または１６のいずれかに記載の太陽電池アセンブリ。
【請求項２３】
前記支持面は、平坦である、請求項８または１６に記載の太陽電池アセンブリ。
【請求項２４】
前記フレームは、少なくとも一対のフレーム部材を備える、請求項１６に記載の太陽電池アセンブリ。
【請求項２５】
前記フレームは、金属、複合材料、樹脂およびこれらの組合せからなる群から選択された材料により形成される、請求項１６に記載の太陽電池アセンブリ。
【請求項２６】
前記フレームは、金型成形されて一部品のフレームを形成する、請求項２５に記載の太陽電池アセンブリ。
【請求項２７】
表板と、裏当て部と、前記表板と前記裏当て部との間の少なくとも一つの太陽電池とを有する、太陽電池モジュールを設けるステップと、
前記太陽電池モジュールを支持する支持面を有する、一体のフレームを形成するステップと、
前記支持面上に構造シーラントを設置し、前記構造シーラント上に前記太陽電池モジュールを設置し、これにより前記太陽電池モジュールを前記フレームに構造的に固着するステップと、を備える、太陽電池アセンブリの製造方法。
【請求項２８】
前記構造シーラントは、構造用接着剤を備える、請求項２７に記載の方法。
【請求項２９】
前記構造用接着剤は、アクリル、ポリウレタン、エポキシ、シリコーンおよびこれらの組合せからなる群から選択される、請求項２８に記載の方法。
【請求項３０】
前記構造シーラントは、構造用接着テープを備える、請求項２７に記載の方法。
【請求項３１】
前記構造シーラントは、ホットメルトシーラントを備える、請求項２７に記載の方法。
【請求項３２】
前記フレームは、少なくとも一対のフレーム部材を備える、請求項２７に記載の方法。
【請求項３３】
前記フレームは、前記少なくとも一対のフレーム部材の中間に延びる、少なくとも一つのブレース部材をさらに備える、請求項３２に記載の方法。
【請求項３４】
前記ブレース部材の間に電気的構成要素を受け入れる開口を形成するステップをさらに備える、請求項３３に記載の方法。
【請求項３５】
前記表板と前記支持面との間に前記構造シーラントを設置するステップをさらに備える、請求項２７に記載の方法。
【請求項３６】
前記フレームは、前記支持面に対し横方向の保護部をさらに備える、請求項３５に記載
の方法。
【請求項３７】
前記太陽電池モジュールと前記保護部との間に間隙を形成し、前記間隙内に水障壁を設置するステップをさらに備える、請求項３６に記載の方法。
【請求項３８】
前記フレームは、金型成形された一部品のフレームにより形成されている、請求項２７に記載の方法。
【手続補正３】
【補正対象書類名】図面
【補正対象項目名】図３Ｂ
【補正方法】変更
【補正の内容】
【図３Ｂ】
2010515272.tif 000001